(57)【要約】【課題】捺印操作によりカム機構が損傷したりカム係合が外れたり、印盤の上下スライドがガタつくことを防止する。【解決手段】外枠体２と、この外枠体２にガイドされて弾性部材６の付勢下に上下スライド自在な内枠体３と、外枠体２に枢着された印盤４と、内枠体３の上下スライドにより印盤４を反転復帰させるカム機構９とを設けた反転式印判であって、捺印操作による印盤４の反転後、印盤４の姿勢が維持されるよう印盤４と内枠体３とをキー機構１２によりキー係合したものである。【選択図】図１
2014223747.tif 000002
【特許請求の範囲】
【請求項１】
外枠体と、この外枠体にガイドされて弾性部材の付勢下に上下スライド自在な内枠体と、外枠体に枢着された印盤と、内枠体の上下スライドにより印盤を反転復帰させるカム機構とを設けた反転式印判であって、捺印操作による印盤の反転後、印盤の姿勢が維持されるよう印盤と内枠体とをキー機構によりキー係合したことを特徴とする反転式印判。
【請求項２】
キー機構が印盤に形成される縦溝と内枠体に形成される縦隆条とよりなることを特徴とする請求項１に記載の反転式印判。
【請求項３】
内枠体を外枠体に係止ロックするロック機構と、内枠体に施蓋されて内枠体の開口が印盤の印面より上方に位置するロック位置まで押し上げる突子を形成した印面キャップとを設けたことを特徴とする請求項１または２に記載の反転式印判。
【請求項４】
印面キャップの内面に隆条部を形成するとともに、内枠体に隆条部と係止する凹部を形成したことを特徴とする請求項１または２または３に記載の反転式印判。
【発明の詳細な説明】
【技術分野】
【０００１】
本発明は、常時は枠内で印字体が上向きに反転されてインキパッドによるインキ補給が行なわれる状態を保持しているが、捺印操作でスライド自在な内枠体が押し上られると印字体が反転されて露呈された印字面により捺印が行なわれるようにした反転式印判に関するものである。
【背景技術】
【０００２】
従来より知られているこの種の反転式印判は、内枠体にスリットと反転ガイドを形成し、該内枠体内に固定軸を前記スリットに嵌合させた印判主体をスライド自在に装着するとともに、内枠体のスライドにより前記反転ガイドに印判主体の反転軸を係合させて印判主体を反転させるものがある（特許文献１参照）。
【０００３】
しかし、印判主体の固定軸と内枠体のスリットとの間に遊びがあるため、捺印操作を急速、且つ激しく行うと印判主体の反転軸と内枠体の反転ガイドとの係合が外れたり、内枠体がガタついたりするという問題がある。
【先行技術文献】
【特許文献】
【０００４】
【特許文献１】特開２０１１−２５６５９号公報
【発明の概要】
【発明が解決しようとする課題】
【０００５】
本発明は捺印操作によりカム機構が損傷したりカム係合が外れたり、内枠体の上下スライドがガタつくことのない反転式印判を提供することを目的とするものである。
【課題を解決するための手段】
【０００６】
本発明の反転式印判は、外枠体と、この外枠体にガイドされて弾性部材の付勢下に上下スライド自在な内枠体と、外枠体に枢着された印盤と、内枠体の上下スライドにより印盤を反転復帰させるカム機構とを設けた反転式印判であって、捺印操作による印盤の反転後、印盤の姿勢が維持されるよう印盤と内枠体とをキー機構によりキー係合したことを特徴とする。
【０００７】
なお、キー機構が印盤に形成される縦溝と内枠体に形成される縦隆条とよりなるものとしたり、内枠体を外枠体に係止ロックするロック機構と、内枠体に施蓋されて内枠体の開口が印盤の印面より上方に位置するロック位置まで押し上げる突子を形成した印面キャップとを設けたものとしたり、印面キャップの内面に隆条部を形成するとともに、内枠体に隆条部と係止する凹部を形成したりすることが好ましい。
【発明の効果】
【０００８】
本発明は、外枠体と、この外枠体にガイドされて弾性部材の付勢下に上下スライド自在な内枠体と、外枠体に枢着された印盤と、内枠体の上下スライドにより印盤を反転復帰させるカム機構とを設けた反転式印判であって、捺印操作による印盤の反転後、印盤の姿勢が維持されるよう印盤と内枠体とをキー機構によりキー係合したことにより、捺印操作を急速、且つ激しく行っても、印盤が踊ってガタついたり、カム機構の係合が外れたりすることがない。
【０００９】
また、請求項３のように、内枠体を外枠体に係止ロックするロック機構と、内枠体に施蓋されて内枠体の開口が印盤の印面より上方に位置するロック位置まで押し上げる突子を形成した印面キャップとを設けたことにより、印面キャップにより内枠体を押し上げて、外枠体と内枠体とを係止ロックすれば、印盤は反転した下向きの状態でロックされることとなる。このため印面キャップを外せば、印盤の印面が露呈された状態に保持されるので、印面の清掃や、印字体の交換作業等のメンテナンスが容易に行えることとなる。
【００１０】
請求項４のように、印面キャップの内面に隆条部を形成するとともに、内枠体に隆条部と係止する凹部を形成したことにより、印面キャップは内枠体に嵌着されるので、印面キャップは不用意に外れることがないので、携行したり保管しても服を汚したり保管場所を汚すおそれがない。
【図面の簡単な説明】
【００１１】
【図１】本発明の好ましい実施形態を示す縦断面図である。
【図２】同じく９０度位相をずらした縦断面図である。
【図３】カム機構の作動状態を示す説明図である。
【図４】同じく印面キャップを施蓋した係止ロック状態を示す縦断面図である。
【図５】同じく捺印状態を示す縦断面図である。
【図６】本発明の好ましい実施形態の分解斜視図である。
【図７】印面キャップの斜視図である。
【図８】同じく縦断面図である。
【図９】印盤の斜視図である。
【図１０】（ａ）：キー機構の第１の実施例の係合状態を示す一部切欠横断面図である。（ｂ）：キー機構の第２の実施例の係合状態を示す一部切欠横断面図である。  （ｃ）：キー機構の第３の実施例の係合状態を示す一部切欠横断面図である。（ｄ）：キー機構の第４の実施例の係合状態を示す一部切欠横断面図である。
【発明を実施するための形態】
【００１２】
次に、本発明を好ましい実施形態を図に基づいて詳細に説明する。
１は印判本体であり、該印判本体１は外枠体２内を上下にスライド動自在にガイドされる内枠体３と、外枠体２の先端に枢着される反転自在な印盤４と、内枠体３の基端に取付けられるインキパッド５ａ収納用のインキパッドケース５と、内枠体３を下方に付勢するスプリングコイルよりなる弾性部材６と、内枠体３の下端に施蓋保持される印面キャップ７とからなる。
【００１３】
前記外枠体２には、内枠体３と係止する係止爪２ａを前後の内壁面に形成するとともに、内枠体３の係止爪片３ａと外枠体２の係止爪２ａとの係止ロックを解除する解除レバー２ｂが前後の外面に形成されており、２ｃは印盤４の水平軸４ａを枢着する軸孔、８は外枠体２の上部に施蓋される天面カバーである。
【００１４】
また、内枠体３には印盤４の水平軸４ａをガイドする縦溝３ｂが形成されている。また、印盤４を反転させるカム機構９は図３、４、５に示されるように、内枠体３の縦溝３ｂの中間部一側方に形成されている第１カム９ａと印盤４に形成される第２カム９ｂとからなる。前記した第１カム９ａは図示するように、中間の凹弧部に上下の円弧部を続かせたカム曲線を有するもので、一方、第２カム９ｂは印盤４の外縁上部に形成され前記第１カム９ａと嵌り合う同形状のカム曲線を有するもので、水平軸４ａの垂線中心線上に円弧部を形成し、該円弧部に左右の凹弧部を続かせたものである。
【００１５】
前述したような構成とすることにより、印盤４は非捺印状態では弾性部材６により付勢され、外枠体２より張出されている内枠体３の基方に位置し、印面をインキパッド５ａに接触させた反転状態となっているが、捺印操作により内枠体３が外枠体内２にスライド収納されると、図３に示されるように、第２カム９ｂの下向きとなっている凹弧部と第１カム９ａの上部の円弧部とが鎖線で示すように歯車のように噛み合い、水平軸４ａにより外枠体２と枢着されている印盤４は１８０度回転して印字体は下向きになり捺印が可能となる。
【００１６】
そして、捺印操作を完了することにより、弾性部材６によって内枠体３は下降し、この下降により図３に示されるように、第１カム９ａの下部の円弧部と反転している第２カム９ｂ上向きの凹弧部とが噛み合い、前記とは逆方向に印盤４を反転させて旧状に復帰する。また、携行したり保管したりする場合は、内枠体３に印面キャップ７を施蓋すれば、印面は印面キャップ７により保護されると同時に内枠体３の開口は図４に示すように、印盤４の印面より上方に押し上げられるので内枠体３と外枠体２とはロック機構１０により係止ロックされる。
【００１７】
ロック機構１０は外枠体２に形成される係止爪２ａと、内枠体３に形成される係止爪２ａと係止する係止爪片３ａと、係止ロックを解除する外枠体２に形成される解除レバー２ｂとからなるもので、内枠体３に印面キャップ７を施蓋しただけでは内枠体３と外枠体２とは係止ロックされず、印面キャップ７の突子により内枠体３の開口が印盤の印面より上方に位置するまで押し上げるとロック機構１０が作動し、内枠体３と外枠体２とが係止ロックされるものである。このため捺印操作による内枠体３の上昇はその開口が印盤の印面と略面一となる位置までとなり、内枠体３が外枠体２に係止ロックされることはない。また、ロック機構１０の解除は解除レバー２ｂを押し込むことによって、係止爪片３ａは内側に屈曲し係止爪２ａとの係止ロックが解かれ内枠体３は弾性部材６の弾発力により下降し、印盤４は反転上昇してインキパッド５ａに接触する。このような構成としているため、印面キャップ７を外しても内枠体３と外枠体２との係止ロックは解除されることがなく、印盤４をロックすることができる。
【００１８】
１１は印面キャップ７の保持機構であり、この保持機構１１は内枠体３の下端外面に形成された下拡がり弧状の凹部１１ａと、印面キャップ７の前後の内壁面に形成される隆条部１１ｂと、隆条部１１ｂを囲んで形成される突子１１ｃとからなり、図２、図４に示されるように、突子１１ｃは内枠体３の下端縁に当接させて隆条部１１ｂを凹部１１ａに係合させれば、印面キャップ７が内枠体３に正確に位置決め保持される。
【００１９】
１２はキー機構であり、該キー機構１２は図１、３、４、５、１０（ａ）に示されるように、内枠体３の下部対向内壁面に並設される左右一対の縦隆条１２ａと、図６、９に示されるように、印盤４の対向外壁面に水平軸４ａを挟んで並設される左右一対の縦溝１２ｂとからなり、該キー機構１２により、捺印操作による内枠体３の上下スライド時、反転した印盤４のスライド動作が不安定となったり、ガタついたりすることを防止する。
【００２０】
なお、キー機構１２は図１０（ａ）に示す第１の実施例のように、印盤４の左右の個別の縦溝１２ｂ内に内枠体３の左右の個別の縦隆条１２ａを嵌合させるという構成に限定されるものではなく、図１０（ｂ）に示す第２の実施例のように、内枠体３の左右の縦隆条１２ａ全体を印盤４の幅広の縦溝１２ｂ内に嵌合させるものとしたり、図１０（ｃ）に示す第３の実施例のように、内枠体３の左右個別の縦溝１２ｂ内に印盤４の左右個別の縦隆条１２ａを嵌合させるものとしたり、図１０（ｄ）に示す第４の実施例のように、印盤４の左右の縦隆条１２ａ全体を内枠体３に幅広の縦溝１２ｂ内に嵌合させるものとしたりしてもよい。
【００２１】
このように構成されたものは、印面キャップ７を外せば、内枠体３は図１、２に示されるように外枠体２より張出されるから、この状態で捺印動作を行えば、弾性部材６の付勢力に抗して内枠体３は外枠体２内に収納されていく。このような内枠体３の上昇により、図３に示すように、内枠体３の第１カム９ａと印盤４の第２カム９ｂとは噛み合い印盤４は反転し印面を下向きとする。
【００２２】
図３に示すように、印盤４が下向きに反転されると、内枠体３の縦隆条１２ａと印盤４の縦溝１２ｂとは近接されて向い合った状態で内枠体３は上昇するので、キー機構１２の縦隆条１２ａと縦溝１２ｂとは係合し、係合状態を維持しながら内枠体３は上昇を続けることとなる。このキー機構１２の縦隆条１２ａと縦溝１２ｂとの係合により印盤４の姿勢は安定してガタつくことがないので、急速且つ、強く捺印を行っても、印盤４が位置ずれを起こして内枠体３から外れたり、カム機構９の第１カム９ａと第２カム９ｂとの係合不良の発生を防止できる。
【００２３】
このため印盤４は安定し、図５に示されるような安定した捺印が行なわれる。捺印が完了すれば、内枠体３は弾性部材６の付勢力によりキー機構１２の案内下に安定した状態で下降し、外枠体２より張出された旧状に復帰する。この復帰により印盤４は反転して印面をインキパッド５ａと接触させてインキを付着させる。
【００２４】
また、長期使用により汚損された印面を清掃したり、印字体を交換したりする場合は、解除レバー２ｂを操作せずに印面キャップ７を外せば、外枠体２と内枠体３とは係止ロックされたままとなり、印盤４は印面を下向きとした反転状態のままロックされているので、下向きに露呈された印面７を清掃したり、印字体を交換すればよい。再び、捺印操作を行う場合には、外枠体２の解除レバー２ｂを押せば係止ロックは解除されて、内枠体３は弾性部材６の付勢力により下降し、カム機構９を介して印盤４は反転し、印字体をインキパッド５ａに接触させるので、押印操作を行えば新たにインキが印面に付着された印盤４は反転下降して鮮明な捺印が行なわれる。
【符号の説明】
【００２５】
１  印判本体
２  外枠体
2a  係止爪
2b  解除レバー
2c  軸孔
３  内枠体
3a  係止爪片
3b  縦溝
４  印盤
4a  水平軸
５  インキパッドケース
5a  インキパッド
６  弾性部材
７  印面キャップ
８  天面カバー
９  カム機構
9a  第１カム
9b  第２カム
10  ロック機構
11  保持機構
11a 凹部
11b 隆条部
11c 突子
12  キー機構
12a 縦隆条
12b 縦溝
【図１】
2014223747.tif 000003
【図２】
2014223747.tif 000004
【図３】
2014223747.tif 000005
【図４】
2014223747.tif 000006
【図５】
2014223747.tif 000007
【図６】
2014223747.tif 000008
【図７】
2014223747.tif 000009
【図８】
2014223747.tif 000010
【図９】
2014223747.tif 000011
【図１０】
2014223747.tif 000012